(57)【特許請求の範囲】
【請求項１】
画像情報を記憶する記憶手段が備えられており、
前記画像情報の送信要求を行う情報送信要求側装置から前記画像情報の送信要求を示す送信要求信号を受信した場合に、その送信要求信号に対応する画像情報を前記記憶手段から読出し、その読出した画像情報を前記情報送信要求側装置へ送信する通信装置において、
前記情報送信要求側装置から送信される送信要求信号が、受信すべき画像情報を指定した送信要求を所定のファクシミリ通信手順にしたがって行うことを示すものであるか否かを判定する判定手段を備えており、
前記記憶手段には、
前記画像情報と、その画像情報を特定する特定情報とが対応付けて記憶された第１の記憶手段と、この第１の記憶手段の記憶内容を示す内容情報と、前記判定手段の判定結果に対応する情報とが記憶された第２の記憶手段とが備えられており、
前記判定手段により、前記送信要求信号は、受信すべき画像情報を指定した送信要求を所定のファクシミリ通信手順にしたがって行うことを示すものであると判定された場合は、前記送信要求信号に対応する画像情報を前記第１の記憶手段から読出すとともに、その読出した画像情報を前記情報送信要求側装置へ送信する第１の送信手段と、
前記判定手段により、前記送信要求信号は、受信すべき画像情報を指定した送信要求を所定のファクシミリ通信手順にしたがって行うことを示すものではないと判定された場合は、前記第２の記憶手段から前記内容情報および前記判定結果に対応する情報を読出すとともに、その読出した内容情報および判定結果に対応する情報を前記情報送信要求側装置へ送信する第２の送信手段と、
が備えられたことを特徴とする通信装置。
【請求項２】
前記判定手段は、
前記送信要求信号が、Ｆコード掲示板通信を行うための信号であるか否かを判定することを特徴とする請求項１に記載の通信装置。
【発明の詳細な説明】
【０００１】
【発明の属する技術分野】
本発明は、情報をファクシミリ通信にて提供する通信装置に関する。
【０００２】
【従来の技術】
従来、ファクシミリ通信によって種々の情報を提供することが行われており、そのような情報提供の手段として、いわゆるＦコードを用いた手段が提案されている。
ここに、Ｆコードとは、ＩＴＵ−Ｔ（国際電気通信連合・電気通信標準化部門）で規定されている通信プロトコルにおけるサブアドレス／セレクティブポーリングコマンドを使用したファクシミリ通信のアプリケーション機能の１つである。そして、そのＦコードを利用したファクシミリ通信を行うために、日本の通信機械工業会によって、Ｆコード掲示板通信という通信方式が定められている。
このＦコード掲示板通信とは、情報提供側が、情報を格納したＢＯＸ（記憶領域）を複数有するメモリを備えており、情報要求側が、通信プロトコル上で情報提供側のメモリ内のＢＯＸ番号を指定することにより、その指定したＢＯＸに格納されている情報を取り出して受信することができる通信方式である。
【０００３】
【発明が解決しようとする課題】
しかし、上記Ｆコード掲示板通信を利用して情報の提供を行う手段では、情報の提供を要求する側が、自分の欲しい情報のＢＯＸ番号を事前に知っている必要がある。このため、情報の提供側は、マスメディアなどを用いて、情報要求側にＢＯＸ番号を報知しなければならないという問題がある。
【０００４】
そこで、本発明は、情報の提供側が、マスメディアなどを用いて、情報要求側にＢＯＸ番号を情報要求側に報知する必要のない通信装置を実現することを目的とする。
【０００５】
【課題を解決するための手段】
本発明は、上記目的を達成するため、
請求項１に記載の発明では、画像情報を記憶する記憶手段が備えられており、
前記画像情報の送信要求を行う情報送信要求側装置から前記画像情報の送信要求を示す送信要求信号を受信した場合に、その送信要求信号に対応する画像情報を前記記憶手段から読出し、その読出した画像情報を前記情報送信要求側装置へ送信する通信装置において、
前記情報送信要求側装置から送信される送信要求信号が、受信すべき画像情報を指定した送信要求を所定のファクシミリ通信手順にしたがって行うことを示すものであるか否かを判定する判定手段を備えており、
前記記憶手段には、
前記画像情報と、その画像情報を特定する特定情報とが対応付けて記憶された第１の記憶手段と、この第１の記憶手段の記憶内容を示す内容情報と、前記判定手段の判定結果に対応する情報とが記憶された第２の記憶手段とが備えられており、
前記判定手段により、前記送信要求信号は、受信すべき画像情報を指定した送信要求を所定のファクシミリ通信手順にしたがって行うことを示すものであると判定された場合は、前記送信要求信号に対応する画像情報を前記第１の記憶手段から読出すとともに、その読出した画像情報を前記情報送信要求側装置へ送信する第１の送信手段と、
前記判定手段により、前記送信要求信号は、受信すべき画像情報を指定した送信要求を所定のファクシミリ通信手順にしたがって行うことを示すものではないと判定された場合は、前記第２の記憶手段から前記内容情報および前記判定結果に対応する情報を読出すとともに、その読出した内容情報および判定結果に対応する情報を前記情報送信要求側装置へ送信する第２の送信手段と、が備えられたという技術的手段を採用する。
【０００６】
請求項２に記載の発明では、請求項１に記載の通信装置において、前記判定手段は、前記送信要求信号が、Ｆコード掲示板通信を行うための信号であるか否かを判定するという技術的手段を採用する。
【０００９】
【作用】
請求項１および請求項２に記載の発明では、上記判定手段は、上記情報送信要求側装置から送信される送信要求信号が、受信すべき画像情報を指定した送信要求を所定のファクシミリ通信手順にしたがって行うことを示すものであるか否かを判定する。そして、上記第１の送信手段は、上記判定手段により、上記送信要求信号は、受信すべき画像情報を指定した送信要求を所定のファクシミリ通信手順にしたがって行うことを示すものであると判定された場合は、上記送信要求信号に対応する画像情報を、画像情報と、その画像情報を特定する特定情報とが対応付けて記憶された第１の記憶手段から読出すとともに、その読出した画像情報を情報送信要求側装置へ送信する。また、上記第２の送信手段は、上記判定手段により、上記送信要求信号は、受信すべき画像情報を指定した送信要求を所定のファクシミリ通信手順にしたがって行うことを示すものではないと判定された場合は、上記第１の記憶手段の記憶内容を示す内容情報と、上記判定手段の判定結果に対応する情報とが記憶された第２の記憶手段から内容情報および判定結果に対応する情報を読出すとともに、その読出した内容情報を情報送信要求側装置へ送信する。
【００１０】
つまり、本発明の通信装置（情報提供側）は、情報送信要求側装置が、情報を指定してこなかった場合は、第１の記憶手段の記憶内容を示す内容情報を第２の記憶手段から読出して情報送信要求側装置へ送信することができる。
したがって、本発明の通信装置（情報の提供側）は、情報送信要求側装置が第１の記憶手段の記憶内容を知らない場合であっても、第１の記憶手段の記憶内容を情報送信要求側装置へ知らせることができるため、情報の提供側が、マスメディアなどを用いて、情報要求側にＢＯＸ番号を報知する必要のない通信装置を実現することができる。
また、情報送信要求側装置が、受信すべき画像情報を指定した送信要求を所定のファクシミリ通信手順にしたがって行う機能を備えていない場合は、第１の記憶手段の内容を示す内容情報に加えて、上記機能を備えていないために情報の提供を行うことができない旨を示す情報をも情報送信要求側装置へ送信することができる。
したがって、情報送信要求側装置は、情報提供側から送信された情報を受信することにより、自分の通信装置では所望の情報を入手できないことを知ることができる。しかも、受信した内容情報を見ることにより、情報提供側に用意されている情報の内容の概略を知ることができるため、その内容を元にして、たとえば、上記機能を備えた通信装置を用いて、再度、所望の情報の送信要求を行うことが可能となる。
【００１５】
さらに、請求項１に記載の技術的手段は、請求項２に記載の発明のように、上記判定手段が、上記送信要求信号は、Ｆコード掲示板通信を行うための信号であるか否かについて行う場合に好適に採用される。
つまり、前述のように、情報の提供側がＦコード掲示板通信を用いて情報を提供する場合は、情報の送信を要求する側の通信装置は、事前にＢＯＸ番号を知っている必要があったり、Ｆコード掲示板通信を行う機能を備えていない場合は、情報を入手できないという問題があったが、上記請求項１に記載の技術的手段を採用することにより、上記各問題を解決できるからである。
【００１６】
【発明の実施の形態】
以下、本発明の通信装置の第１実施形態について図を参照して説明する。
図１は、本第１実施形態の通信装置の主な制御系をブロックで示す説明図である。
なお、以下の各実施形態では、本発明の通信装置として、情報の送信を要求する側のファクシミリ装置へ情報を提供する通信装置を代表に説明する。
【００１７】
通信装置１には、情報の送信を要求する側のファクシミリ装置（以下、相手ファクシミリ装置と称する）６１との間で行うＦコード掲示板通信、通常のファクシミリ通信、音声案内などの通信制御、イメージスキャナ４５が原稿の画像情報を読取る場合の読取制御、記録ヘッド２０が記録用紙へ記録する場合の記録制御、この通信装置１に接続されたＰＣ（Ｐｅｒｓｏｎａｌ  Ｃｏｍｐｕｔｅｒ）６４との間で行うデータの入出力制御などを行うＣＰＵ４０が備えられている。
さらに、通信装置１には、相手ファクシミリ装置６１から送信されるファクシミリデータを受信するための通信用モデム６０と、この通信用モデム６０によって受信されたファクシミリデータ、あるいは、ＰＣ６４から出力され、インターフェース４１を介して入力された記録データを展開するゲートアレイ４２とが備えられている。
【００１８】
ＣＰＵ４０とゲートアレイ４２とを接続するアドレスバスおよびデータバスには、ＣＰＵ４０が前述の各種制御を実行するための制御プログラム、送信先のＦＡＸ番号などが記憶されているＲＯＭ４３と、相手ファクシミリ装置６１へ提供する各種情報が記憶されたＲＡＭ４４とが接続されており、ＣＰＵ４０は、ＲＯＭ４３およびＲＡＭ４４との間で必要なデータの入出力を行う。
【００１９】
ここで、ＲＡＭ４４の主な記憶内容について、それを示す図２（Ａ）を参照して説明する。
ＲＡＭ４４は、第１記憶エリア４４ａおよび第２記憶エリア４４ｂの２つの記憶エリアを有している。第１記憶エリア４４ａは、ＢＯＸ１〜ＢＯＸｎまでの合計ｎ個のＢＯＸから構成されており、各ＢＯＸには、種々の画像情報、たとえば、本通信装置１が税金に関する情報を提供するために使用するものである場合は、所得税についての説明、税金控除についての説明などの各種画像情報が、情報の種類別にＢＯＸに記憶される。
また、第２記憶エリア４４ｂには、相手ファクシミリ装置６１が、ＢＯＸ番号を指定しない情報の送信要求を行ってきた場合に、第１記憶エリア４４ａの記憶内容を示す内容情報が記憶されている。
たとえば、内容情報としては、図２（Ａ）に示すように、ＢＯＸ１は○○○、ＢＯＸ２は□□□・・・というように、各ＢＯＸに記憶されている情報のタイトルを表形式で記載した画像情報が用いられる。
なお、ＲＡＭ４４が、本発明の記憶手段に対応し、第１記憶エリア４４ａが、請求項１に記載の第１の記憶手段に対応し、第２記憶エリア４４ｂが、第２の記憶手段に対応する。
【００２０】
ここで、図１の説明に戻り、ゲートアレイ４２には、受信した各データをイメージデータとして一時的に記憶するイメージメモリ５４と、記録ヘッド２０が搭載されたキャリッジ（図示省略）の移動速度を計測し、記録タイミングを決定するエンコーダセンサ５９とが接続されている。さらに、ゲートアレイ４２は、キャリッジの移動にともない、エンコーダセンサ５９が出力した信号に基づいて記録クロック５７を生成する。さらに、ゲートアレイ４２には、ヘッドドライバＩＣ５８が接続されており、このヘッドドライバＩＣ５８は、ゲートアレイ４２から出力された記録データ５５、転送クロック５６および記録クロック５７に基づいて動作し、記録ヘッド２０を駆動する。
【００２１】
さらに、ＣＰＵ４０には、記録用紙の有無を検出する記録用紙センサ５０と、原稿がイメージスキャナ４５の読取部分にあることを検出する原稿センサ５１と、キャリッジがホームポジションにあることを検出するキャリッジ原点センサ５２と、キャリッジモータ１４を駆動するための第１のモータドライバ７０と、プラテンローラ回転用のラインフィードモータ４７を駆動するための第２のモータドライバ４６と、イメージスキャナモータ４８を駆動するための第３のモータドライバ４９と、各種の信号をＣＰＵ４０に与える操作パネル３と、液晶表示部（ＬＣＤ）４とが接続されている。
【００２２】
次に、本発明の特徴である、相手ファクシミリ装置６１から情報の送信要求があった場合に、通信装置１に備えられたＣＰＵ４０によって実行される通信制御内容について図３および図４を参照して説明する。
図３は、通信装置１と相手ファクシミリ装置６１との間で行われる通信手順を示す説明図である。図４は、ＣＰＵ４０により実行される通信制御の内容を示すフローチャートである。
【００２３】
ＣＰＵ４０は、相手ファクシミリ装置６１から送信されたＣＡＬＬ信号の着信を検出し（ステップ１００：Ｙｅｓ）、ＣＮＧ信号を検出すると（ステップ１０２：Ｙｅｓ）、相手ファクシミリ装置６１へＤＩＳ信号、つまり、通信装置１の通信能力を相手ファクシミリ装置６１に知らせるための信号を送信する（ステップ１０４）。続いて、ＣＰＵ４０は、相手ファクシミリ装置６１からＳＥＰ信号およびＤＴＣ信号を受信したか否かを判定する（ステップ１０６）。
つまり、ＣＰＵ４０は、ＤＩＳ信号に対する応答を示すＤＴＣ信号と共に、第１記憶エリア４４ａに記憶されている情報を取り出すためのＢＯＸ番号を指定するためのＳＥＰ信号を受信したか否かを判定する（ステップ１０６）。
【００２４】
そして、ＣＰＵ４０は、ＳＥＰ信号を受信したと判定した場合は（ステップ１０６：Ｙｅｓ）、相手ファクシミリ装置６１に受信を命令するＤＣＳ信号を送信し（ステップ１０８）、相手ファクシミリ装置６１に設定されている通信速度を確かめるためのＴＣＦ信号を送信する（ステップ１１０）。
なお、上記ステップ３０４において受信されたＳＥＰ信号によって示されるＢＯＸ番号を示すＢＯＸ番号データは、ＲＡＭ４４に一時的に記憶される。
続いて、ＣＰＵ４０は、受信準備完了を示すＣＦＲ信号の受信を検出すると（ステップ１１２：Ｙｅｓ）、ＲＡＭ４４に一時的に記憶されているＢＯＸ番号データを読出すとともに、その読出したＢＯＸ番号データによって示されるＢＯＸ番号に対応する画像情報（ＰＩＸ）をＢＯＸエリア４４ａから読出し、その読出した情報を相手ファクシミリ装置６１へ送信する（ステップ１１４）。この送信された情報は、相手ファクシミリ装置６１によって記録用紙に記録され、相手ファクシミリ装置６１を使用する者は、その記録された内容を見ることによって情報を知ることができる。
【００２５】
そして、ＣＰＵ４０は、情報の送信を終了すると、ファクシミリ通信手順の終了を示すＥＯＰ信号を送信し（ステップ１１６）、ＥＯＰ信号に対する肯定的な応答信号であるＭＣＦ信号を受信すると（ステップ１１８）、通信回線の切断を命令するＤＣＮ信号を送信する（ステップ１２０）。
【００２６】
一方、情報の送信要求側が、ＢＯＸ番号を知らずに、一般のポーリングによる情報の送信要求を行ってきた場合は、相手ファクシミリ装置６１からはＳＥＰ信号が送信されないため、ＣＰＵ４０は、ステップ１０６においてＳＥＰ信号を受信しなかったと判定する（ステップ１０６：Ｎｏ）。続いて、ＣＰＵ４０は、ＤＣＳ信号を送信し（ステップ１２２）、ＴＣＦ信号を送信し（ステップ１２４）、ＣＦＲ信号を受信すると（ステップ１２６：Ｙｅｓ）、ＲＡＭ４４の第２記憶エリア４４ｂから内容情報４４ｃを読出し、その読出した内容情報４４ｃを相手ファクシミリ装置６１へ送信する（ステップ１２８）。この送信された情報は、相手ファクシミリ装置６１によって記録用紙に記録され、情報の送信要求側は、その記録された内容を見ることによって、通信装置１のＲＡＭ４４の第１記憶エリア４４ａにどのような情報が記憶されているか、つまり、どのような情報を入手できるかをＢＯＸ番号と対応付けて知ることができる。
【００２７】
そして、ＣＰＵ４０は、情報の送信を終了するとＥＯＰ信号を送信し（ステップ１３０）、ＭＣＦ信号を受信すると（ステップ１３２）、ＤＣＮ信号を送信する（ステップ１３４）。
以上のように、本第１実施形態の通信装置１を用いれば、相手が情報の指定をしてこなかった場合は、第１記憶エリア４４ａに記憶された情報の内容を相手に知らせることができるため、その相手は、知らされた内容を見てから再度ＢＯＸ番号を指定したＦコード掲示板通信を行うことにより、本来知りたかった情報を入手することができる。
つまり、本第１実施形態の通信装置１を用いれば、従来のように、情報の提供側は、情報の要求側へＢＯＸ番号をマスメディアなどを用いて報知する必要のない通信装置を実現することができる。
【００２８】
ところで、上記ＳＥＰ信号が、本発明の送信要求信号に対応する。また、ＣＰＵ４０によって実行されるステップ１０６が、本発明の判定手段として機能し、ステップ１１４が第１の送信手段として機能し、ステップ１２８が請求項１に記載の第２の送信手段として機能する。
【００２９】
次に、本発明第２実施形態の通信装置について図２（Ｂ）および図５を参照して説明する。
本第２実施形態の特徴は、相手ファクシミリ装置６１が、Ｆコード掲示板通信を行う機能を備えておらず、一般のポーリングを用いて情報の提供を求めてきた場合に、相手ファクシミリ装置６１に、情報を提供できない理由と、提供可能な情報の内容を知らせることができることを特徴とする。
図２（Ｂ）は、ＲＡＭ４４の主な記憶内容を示す説明図であり、図５は、本第２実施形態の通信装置に備えられたＣＰＵによって実行される通信制御の内容を一部を省略して示すフローチャートである。
なお、本第２実施形態の通信装置の制御系の構成は、前述の第１実施形態の通信装置１と同じであり、また、ＣＰＵ４０によって実行される通信制御の内容は、図４のステップ１２８を除いて同じであるため、それら同じ部分の説明は省略する。
【００３０】
最初に、ＲＡＭ４４の記憶内容について図２（Ｂ）を参照して説明する。
ＲＡＭ４４は、第１記憶エリア４４ａおよび第２記憶エリア４４ｂの２つの記憶エリアを有している。第１記憶エリア４４ａは、前述の第１実施形態と同じ構成である。第２記憶エリア４４ｂには、情報の送信要求側へ情報を取り出すことができない旨を報知するための情報、たとえば、「ＢＯＸ番号を指定しないと情報をご提供できません。」、または、「Ｆコード対応ファクシミリ装置でなければ、情報を指定することができません。」などの内容の報知情報４４ｄと、上記第１実施形態と同じ内容情報４４ｃとが記憶されている。
【００３１】
次に、ＣＰＵ４０によって実行される通信制御について図５を参照して説明する。
ＣＰＵ４０は、図４に示したステップ１００〜ステップ１０４を実行し、相手ファクシミリ装置６１からはＳＥＰ信号が送信されないため、ステップ１０６では否定判定し、ＤＣＳ信号の送信およびＴＣＦ信号の送信を実行し（ステップ１２２、ステップ１２４）、相手ファクシミリ装置６１から送信されたＣＦＲ信号の受信を検出すると（ステップ１２６：Ｙｅｓ）、ＲＡＭ４４の第２記憶エリア４４ｂに記憶されている報知情報４４ｄおよび内容情報４４ｃを相手ファクシミリ装置６１へ送信する（ステップ１２７）。
この送信された両情報は、相手ファクシミリ装置６１によって記録用紙に記録され、情報送信要求側装置は、その記録された報知情報４４ｄを見ることによって、自分の通信装置では所望の情報を入手できないことを知ることができる。しかも、受信した内容情報４４ｃを見ることにより、情報提供側に用意されている情報の内容を知ることができるため、その内容を元にして、たとえば、上記機能を備えた通信装置を用いて、再度、情報の送信要求を行うことが可能となる。
【００３２】
そして、ＣＰＵ４０は、情報の送信を終了するとＥＯＰ信号を送信し（ステップ１３０）、図４に示したように、ＭＣＦ信号を受信すると（ステップ１３２）、ＤＣＮ信号を送信する（ステップ１３４）。
以上のように、本第２実施形態の通信装置１を用いれば、Ｆコード掲示板通信を行う機能を備えていない相手ファクシミリ装置６１から、情報の要求があった場合に、ＢＯＸ番号を指定しないと情報を取り出すことができない旨をファクシミリ通信で相手に知らせることができるため、相手ファクシミリ装置６１に意味不明な通信エラーが生じるのを防止できる。
しかも、情報送信要求側装置へ提供可能な情報の内容をも知らせることができるため、情報送信要求側装置は、その内容を元に、Ｆコード掲示板通信を行う機能を備えたファクシミリ装置を用いて情報を入手するという手段を採ることが可能となる。
【００３３】
また、上記実施形態では、図４および図５のフローチャートにより示される通信制御を記録装置１に内蔵されたＣＰＵ４０に実行させたが、それらの制御および処理を実行するためのコンピュータプログラムが格納されたＣＤ−ＲＯＭやＦＤなどをＰＣ６４でドライブし、上記コンピュータプログラムをＨＤＤ（Ｈａｒｄ  Ｄｉｓｋ  Ｄｒｉｖｅ）６４ｂにインストールすることによって、上記各種制御および処理をＰＣ６４のＣＰＵ６４ａによって行うこともできる。
【００３４】
【発明の効果】
以上のように、請求項１および請求項２に記載の発明によれば、上記情報送信要求側装置から送信される送信要求信号が、受信すべき画像情報を指定した送信要求を所定のファクシミリ通信手順にしたがって行うことを示すものであるか否かを判定する判定手段と、この判定手段により、上記送信要求信号は、受信すべき画像情報を指定した送信要求を所定のファクシミリ通信手順にしたがって行うことを示すものであると判定された場合は、上記送信要求信号に対応する画像情報を情報送信要求側装置へ送信する第１の送信手段と、上記判定手段により、上記送信要求信号は、受信すべき画像情報を指定した送信要求を所定のファクシミリ通信手順にしたがって行うことを示すものではないと判定された場合は、上記第１の記憶手段の記憶内容を示す内容情報および判定結果に対応する情報を情報送信要求側装置へ送信する第２の送信手段とを備えているため、情報送信要求側装置が、情報を指定してこなかった場合は、第１の記憶手段の記憶内容を示す内容情報および判定結果に対応する情報を情報送信要求側装置へ送信することができる。
したがって、請求項１および請求項２に記載の発明によれば、情報送信要求側装置が第１の記憶手段の記憶内容を知らない場合であっても、第１の記憶手段の記憶内容を情報送信要求側装置へ知らせることができるため、情報の提供側が、マスメディアなどを用いて、情報要求側にＢＯＸ番号を報知情報要求側に報知する必要のない通信装置を実現することができる。
また、情報送信要求側装置が、受信すべき画像情報を指定した送信要求を所定のファクシミリ通信手順にしたがって行う機能を備えていない場合は、第１の記憶手段の内容を示す内容情報に加えて、上記機能を備えていないために情報の提供を行うことができない旨を示す情報をも情報送信要求側装置へ送信することができる。
したがって、情報送信要求側装置は、情報提供側から送信された情報を受信することにより、自分の通信装置では所望の情報を入手できないことを知ることができる。しかも、受信した内容情報を見ることにより、情報提供側に用意されている情報の内容を知ることができるため、その内容を元にして、たとえば、上記機能を備えた通信装置を用いて、再度、情報の送信要求を行うことが可能となる。
【図面の簡単な説明】
【図１】  本発明第１実施形態の通信装置の主な制御系をブロックで示す説明図である。
【図２】  図２（Ａ）は、本発明第１実施形態の通信装置に内蔵されたＲＡＭ４４の主な記憶内容を示す説明図であり、図２（Ｂ）は、本発明第２実施形態の通信装置に内蔵されたＲＡＭ４４の主な記憶内容を示す説明図である。
【図３】  通信装置１と相手ファクシミリ装置６１との間で行われる通信手順を示す説明図である。
【図４】  本発明第１実施形態のＣＰＵ４０により実行される通信制御の内容を示すフローチャートである。
【図５】  本発明第２実施形態のＣＰＵ４０により実行される通信制御の内容を一部を省略して示すフローチャートである。
【符号の説明】
１    通信装置
４０    ＣＰＵ
４４    ＲＡＭ（記憶手段）
４４ａ  第１記憶エリア（第１の記憶手段）
４４ｂ  第２記憶エリア（第２の記憶手段）
６１    相手ファクシミリ装置（情報送信要求側装置）
【図１】
0003635919.tif 000002
【図２】
0003635919.tif 000003
【図３】
0003635919.tif 000004
【図４】
0003635919.tif 000005
【図５】
0003635919.tif 000006